(57)【要約】【課題】  泥やごみなどの異物を容易に除去して、操作部材の操作性を向上させることができるスイッチ装置およびそれを備えた時計を提供する。【解決手段】  貫通孔１０および収容部３ａを備えた腕時計ケース１と、この腕時計ケース１の貫通孔１０にパッキン部材１５を介してスライド可能に挿入された軸部１２、およびこの軸部１２の外端部に設けられて腕時計ケース１の収容部３ａ内に配置され、かつ外端部が外部に露出する頭部１３を備えた操作部材１１と、腕時計ケース１の収容部３ａ内に頭部１３によって形成される空間部１８と、この空間部１８を腕時計ケース１の外部に連通させた複数の連通孔１９ａ、１９ｂと、を備えている。従って、腕時計ケース１の収容部３ａ内に頭部１３によって形成される空間部１８に泥やごみなどの異物が浸入しても、洗浄路１７によって洗い流すことができる。【選択図】        図２
2017212078.tif 000002
【特許請求の範囲】
【請求項１】
貫通孔および収容部が同一軸上に対応して設けられたケースと、
前記ケースの前記貫通孔にパッキン部材を介してスライド可能に挿入された軸部、および前記軸部の外端部に設けられて前記ケースの前記収容部内に配置され、かつ外端部が前記ケースの外部に露出する頭部を備えた操作部材と、
前記ケースの前記収容部内に前記操作部材の前記頭部によって形成される空間部と、
前記空間部を前記ケースの外部に連通させた複数の連通孔と、
を備えていることを特徴とするスイッチ装置。
【請求項２】
請求項１に記載のスイッチ装置において、前記連通孔には、前記収容部の内径と前記頭部の外径との間の隙間は含まれないことを特徴とするスイッチ装置。
【請求項３】
請求項１または請求項２に記載のスイッチ装置において、前記連通孔は、前記ケースに備えていることを特徴とするスイッチ装置。
【請求項４】
請求項１〜請求項３のいずれかに記載のスイッチ装置において、前記ケースは、前記貫通孔が設けられたケース本体と、前記ケース本体の外周面にこれを覆って設けられ、かつ前記収容部が前記貫通孔と同一軸上に対応して設けられた外装部材と、を備え、
前記連通孔は、前記ケース本体の外面とこれに対応する前記外装部材の内面との間に設けられていることを特徴とするスイッチ装置。
【請求項５】
請求項１〜請求項３のいずれかに記載のスイッチ装置において、前記連通孔は、前記操作部材の前記頭部にその軸方向に貫通して設けられていることを特徴とするスイッチ装置。
【請求項６】
請求項１〜請求項５のいずれかに記載のスイッチ装置において、前記操作部材を前記ケースの外部に向けて付勢する付勢部材を備えていることを特徴とするスイッチ装置。
【請求項７】
請求項６に記載のスイッチ装置において、前記付勢部材は、前記パッキン部材よりも前記ケースの内部側に設けられていることを特徴とするスイッチ装置。
【請求項８】
請求項１〜請求項７のいずれかに記載されたスイッチ装置を備えていることを特徴とする時計。
【発明の詳細な説明】
【技術分野】
【０００１】
この発明は、腕時計などの電子機器に用いられるスイッチ装置およびそれを備えた時計に関する。
【背景技術】
【０００２】
例えば、腕時計のスイッチ装置においては、特許文献１に記載されているように、腕時計ケースの貫通孔に操作部材の軸部が挿入され、この操作部材の頭部が腕時計ケースの外部に配置され、この頭部の外周を覆うガイド保護部材を腕時計ケースに設けた構成のものが知られている。
【先行技術文献】
【特許文献】
【０００３】
【特許文献１】特開２０１５−３１６２２号公報
【０００４】
このような腕時計のスイッチ装置では、操作部材の頭部が外部から衝撃を受けた際に、操作部材の頭部がその軸方向と直交する方向に変位するのをガイド保護部材によって防ぐことができるので、衝撃による操作部材の軸部の曲がり変形や破損を防ぐことができ、これにより操作部材を良好に保護することができる。
【発明の概要】
【発明が解決しようとする課題】
【０００５】
しかしながら、このような腕時計のスイッチ装置においては、操作部材の頭部とガイド保護部材との間に泥やごみなどの異物が浸入し易く、かつ浸入した泥やごみなどの異物が操作部材の頭部とガイド保護部材との間に付着すると、操作部材の操作性が悪くなるという問題がある。
【０００６】
この発明が解決しようとする課題は、泥やごみなどの異物を容易に除去して、操作部材の操作性を向上させることができるスイッチ装置およびそれを備えた時計を提供することである。
【課題を解決するための手段】
【０００７】
この発明は、貫通孔および収容部が同一軸上に対応して設けられたケースと、前記ケースの前記貫通孔にパッキン部材を介してスライド可能に挿入された軸部、および前記軸部の外端部に設けられて前記ケースの前記収容部内に配置され、かつ外端部が前記ケースの外部に露出する頭部を備えた操作部材と、前記ケースの前記収容部内に前記操作部材の前記頭部によって形成される空間部と、前記空間部を前記ケースの外部に連通させた複数の連通孔と、を備えていることを特徴とするスイッチ装置である。
【発明の効果】
【０００８】
この発明によれば、ケースの収容部内に操作部材の頭部によって形成される空間部、およびこの空間部をケースの外部に連通させた連通孔内に泥やごみなどの異物が浸入しても、この浸入した泥やごみなどの異物を良好に洗い流すことができる。これにより、泥やごみなどの異物を簡単にかつ確実に除去することができるので、泥やごみなどの異物の浸入による操作部材の操作性の低下を防いで、操作部材の操作性を向上させることができる。
【図面の簡単な説明】
【０００９】
【図１】この発明を腕時計に適用した第１実施形態を示した拡大正面図である。
【図２】図１に示された腕時計のＡ−Ａ矢視における要部を示した拡大断面図である。
【図３】この発明を腕時計に適用した第２実施形態において、要部を示した拡大断面図である。
【図４】図３に示されたスイッチ装置のＢ−Ｂ矢視における要部を示した拡大断面図である。
【発明を実施するための形態】
【００１０】
（第１実施形態）
以下、図１および図２を参照して、この発明を腕時計に適用した第１実施形態について説明する。
この腕時計は、図１および図２に示すように、腕時計ケース１を備えている。この腕時計ケース１は、ケース本体２とこのケース本体２の外周にこれを覆って設けられた外装部材３とで構成されている。ケース本体２は、硬質の合成樹脂で形成され、その内部に金属製の補強部材２ａが埋め込まれている。外装部材３は、軟質の合成樹脂で形成されている。
【００１１】
この腕時計ケース１の上部開口部、つまりケース本体２の上部開口部には、図１および図２に示すように、時計ガラス４がパッキン４ａを介して取り付けられている。この場合、ケース本体２の上端部とこれに対応する外装部材３の下面との間には、見切り部材５が時計ガラス４の外周部を覆って設けられている。また、この腕時計ケース１の下部、つまりケース本体２の下には、裏蓋６が防水リング６ａを介して取り付けられている。
【００１２】
この腕時計ケース１の内部には、図２に示すように、時計モジュール７が配置されている。この時計モジュール７は、図示しないが、指針の運針により時刻を指示する時計ムーブメントや、時刻などの情報を表示する表示部、これらを電気的に駆動する回路部などの時計機能に必要な各種の部品を備えている。
【００１３】
また、この腕時計ケース１の２時側、３時側、４時側、８時側、１０時側には、図１に示すように、スイッチ装置８がそれぞれ設けられている。これら複数のスイッチ装置８のうち、例えば、２時側に位置するスイッチ装置８は、図２に示すように、ケース本体２に設けられた貫通孔１０および外装部材３に設けられた収容部３ａにスライド可能に設けられた操作部材１１を備えている。
【００１４】
この操作部材１１は、図２に示すように、ケース本体２の貫通孔１０にスライド可能に挿入された軸部１２と、この軸部１２の外端部に設けられて外装部材３の収容部３ａ内にスライド可能に配置された頭部１３と、を備えている。この場合、軸部１２は、ケース本体２の内部側が小径部１２ａに形成され、ケース本体２の外部側が大径部１２ｂに形成されている。これに伴って、貫通孔１０は、ケース本体２の内部側に位置する内端部が軸部１２の小径部１２ａの外径とほぼ同じ大きさの小径孔部１０ａに形成されている。
【００１５】
この軸部１２は、図２に示すように、その軸方向の長さがケース本体２の貫通孔１０の軸方向の長さよりも長く形成されている。これにより、軸部１２は、その小径部１２ａの内端部がケース本体２内に突出し、大径部１２ｂの外端部がケース本体２の外部に出没可能に突出すように構成されている。
【００１６】
また、この軸部１２は、図２に示すように、ケース本体２の内部に突出する小径部１２ａの内端部にＥリングなどの抜止め部材１４が取り付けられている。これにより、軸部１２は、抜止め部材１４がケース本体２の内周面に接離可能に当接することにより、ケース本体２の外部に抜け出さないように構成されている。
【００１７】
また、この軸部１２の大径部１２ｂにおける外周面には、図２に示すように、複数のパッキン部材１５がそれぞれ環状に設けられている。これら複数のパッキン部材１５は、その外周部が貫通孔１０の内周面に摺動可能に圧接することにより、軸部１２の大径部１２ｂにおける外周面と貫通孔１０の内周面との間の防水を図るように構成されている。
【００１８】
さらに、この軸部１２の小径部１２ａにおける外周部には、図２に示すように、操作部材１１をケース本体２の外部に向けて付勢するばね部材１６が配置されている。このばね部材１６は、コイルばねであり、軸部１２の小径部１２ａにおける外周部に配置され、この状態で内端部が貫通孔１０の小径孔部１０ａとの段差部に弾接し、外端部が軸部１２の大径部１２ｂの段差部に弾接することにより、軸部１２をケース本体２の外部に向けて押し出すように構成されている。
【００１９】
一方、操作部材１１の頭部１３は、図２に示すように、軸部１２の外端部に設けられてケース本体２の外部に配置され、この状態で外装部材３にケース本体２の貫通孔１０と同一軸上に対応して設けられた収容部３ａ内に配置されるように構成されている。すなわち、この頭部１３は、その外径が軸部の１２の大径部１２ｂの外径よりも大きく、かつケース本体２の上下方向の高さよりも短い長さに形成されている。
【００２０】
また、この頭部１３は、図２に示すように、その軸方向の長さがケース本体２の貫通孔１０の軸方向における外装部材３の長さ（厚み）よりも短く形成されている。すなわち、この頭部１３は、その軸方向の長さが、ケース本体２の貫通孔１０の軸方向における外装部材３の長さよりも、ケース本体２の外部に突出する軸部１２の突出長さ分だけ短く形成されている。これにより、頭部１３は、外装部材３に設けられた収容部３ａ内にスライド可能に収容されるように構成されている。
【００２１】
この場合、外装部材３の収容部３ａは、図２に示すように、その内径が頭部１３の外径とほぼ同じ大きさに形成されている。また、この収容部３ａは、その軸方向の長さが頭部１３の軸方向の長さよりも、ケース本体２の外部に突出する軸部１２の突出長さ分だけ
長く形成されている。すなわち、この収容部３ａは、その軸方向の長さがケース本体２の外部に突出した軸部１２の突出長さと頭部１３の軸方向の長さとの両方の長さとほぼ同じ長さに形成されている。
【００２２】
このため、頭部１３は、図２に示すように、軸部１２がばね部材１６のばね力によってケース本体２の外部に向けて押し出されて、小径部１２ａの抜止め部１４がケース本体２の内周面に当接した際に、頭部１３の外端面が収容部３ａの外端部とほぼ同じ平面上に位置して外装部材３の収容部３ａから外部に露出するように構成されている。
【００２３】
これにより、この操作部材１１は、図２に示すように、軸部１２の小径部１２ａの抜止め部１４がケース本体２の内周面に当接した際に、軸部１２の大径部１２ｂの外端部がケース本体２の外部に突出して外装部材３の収容部３ａ内に突出することにより、外装部材３の収容部３ａ内に頭部１３によって後述する空間部１８が、ケース本体２の外面とこれに対応する頭部１３の内端面との間に位置する隙間として形成されるように構成されている。
【００２４】
この場合、操作部材１１は、図２に示すように、軸部１２の小径部１２ａの抜止め部１４がケース本体２の内周面に当接して、軸部１２の大径部１２ｂの外端部がケース本体２の外部に突出して外装部材３の収容部３ａ内に突出した状態のときに、ケース本体２の外面とこれに対応する頭部１３の内端面との間に形成された空間部１８の軸方向の長さが、操作部材１１のスライド長さに設定されている。
【００２５】
これにより、操作部材１１は、図２に示すように、頭部１３がばね部材１６のばね力に抗してケース本体２の内部に向けて押し込まれて、頭部１３の内端面がケース本体２の外面に接近または接触した際に、外装部材３の収容部３ａ内に頭部１３によって形成される空間部１８の容積が最小になり、軸部１２の小径部１２ａの内端部がケース本体２の内部に突出して時計モジュール７のスイッチ部７ａを押圧してオン動作させるように構成されている。
【００２６】
また、この操作部材１１は、図２に示すように、軸部１２がばね部材１６のばね力によってケース本体２の外部に向けて押し出されて、頭部１３の内端面がケース本体２の外面から離れた際に、外装部材３の収容部３ａ内に頭部１３によって形成される空間部１８の容積が大きくなり、軸部１２の小径部１２ａの内端部がケース本体２の外部に向けて移動して時計モジュール７のスイッチ部７ａから離れることにより、スイッチ部７ａをオフ状態にするように構成されている。
【００２７】
ところで、このスイッチ装置８は、図１および図２に示すように、外装部材３の収容部３ａ内に頭部１３によって形成される空間部１８内を洗い流すための流通路である洗浄路１７を備えている。この洗浄路１７は、外装部材３の収容部３ａ内に頭部１３によって形成される空間部１８と、この空間部１８を腕時計ケース１の外部に連通させる連通孔１９と、を備えている。また、図２に示すように、外装部材３の収容部３ａの内径と頭部１３の外径とは、ほぼ同じ大きさに形成されているが、外装部材３の収容部３ａの内径と頭部１３の外径との間の隙間は、連通孔には含まれない。
【００２８】
この場合、連通孔１９は、図２に示すように、外装部材３の収容部３ａ内に頭部１３によって形成される空間部１８を挟んで、腕時計ケース１の上下方向に貫通して設けられている。すなわち、この連通孔１９は、腕時計ケース１の上部側に位置する連通孔１９ａが、空間部１８の上部からケース本体２の外面に対応する外装部材３の内面に設けられ、かつ外装部材３の上端面に貫通していることにより、腕時計ケース１の上側外部に開放されるように構成されている。
【００２９】
また、この連通孔１９は、図２に示すように、腕時計ケース１の下部側に位置する連通孔１９ｂが、空間部１８の下部からケース本体２の外面に対応する外装部材３の内面に設けられ、かつ外装部材３の下端面に貫通していることにより、腕時計ケース１の下側外部に開放されるように構成されている。
【００３０】
この場合、腕時計ケース１の下部側に位置する連通孔１９ｂは、図２に示すように、ケース本体２の下部に設けられた裏蓋６の外周側に位置して設けられていることにより、裏蓋６によって塞がれないように構成されている。以上のように、連通孔１９は、連通孔１９ａ、連通孔１９ｂの複数の連通孔から構成される。
【００３１】
この連通孔１９は、図１に示すように、その断面形状がケース本体２の外周に沿う方向に細長い矩形状に形成されている。この場合、連通孔１９は、図２に示すように、腕時計ケース１の径方向の長さ、つまり操作部材１１の軸方向の長さが、外装部材３の収容部３ａ内に頭部１３によって形成される空間部１８の軸方向の長さ、つまり操作部材１１のスライド長さよりも長く形成されている。これにより、連通孔１９は、水や洗剤などの洗浄液が空間部１８内に流れ易くなる大きさに形成されている。
【００３２】
次に、このような腕時計のスイッチ装置８の作用について説明する。
このスイッチ装置８は、通常状態のときに、操作部材１１がばね部材１６のばね力によって腕時計ケース１の外部に向けて押し出されて、軸部１２の小径部１２ａの内端部に設けられた抜止め部材１４がケース本体２の内周面に当接する。
【００３３】
この状態では、操作部材１１の頭部１３の外端面が外装部材３の収容部３ａの外端部とほぼ同じ平面上に位置して外装部材３の外部に露出し、軸部１２の外端部がケース本体２の外部に突出して外装部材３の収容部３ａ内に突出する。これにより、外装部材３の収容部３ａ内に頭部１３によって形成される空間部１８の容積が最大になる。また、この状態のときには、軸部１２の小径部１２ａの内端部が時計モジュール７のスイッチ部７ａから離れ、スイッチ部７ａがオフ状態になっている。
【００３４】
この状態で、外装部材３の収容部３ａから外部に露出した操作部材１１の頭部１３をばね部材１６のばね力に抗して腕時計ケース１の内部側に向けて押し込むと、頭部１３の内端面がケース本体２の外面に接近または接触し、外装部材３の収容部３ａ内に頭部１３によって形成される空間部１８の容積が最小になる。
【００３５】
このときには、軸部１２の小径部１２ａの内端部に設けられた抜止め部材１４がケース本体２の内周面から離れて、軸部１２の小径部１２ａの内端部が腕時計ケース１内の時計モジュール７に設けられたスイッチ部７ａを押圧する。これにより、スイッチ部７ａがオン動作する。
【００３６】
また、操作部材１１の頭部１３がばね部材１６のばね力に抗して腕時計ケース１の内部側に向けて押し込まれる際には、外装部材３の収容部３ａ内に頭部１３によって形成される空間部１８の容積が次第に小さくなる。このため、空間部１８内の空気が圧縮されるが、この圧縮された空気が洗浄路１７の連通孔１９を通して腕時計ケース１の外部に排出される。
【００３７】
これにより、操作部材１１の頭部１３が腕時計ケース１の内部側に向けて押し込まれる際には、洗浄路１７における空間部１８内の圧縮された空気が洗浄路１７の連通孔１９から腕時計ケース１の外部に排出されることにより、空間部１８内の空気圧が腕時計ケース１の外部の大気圧とほぼ同じ圧力に保たれる。このため、操作部材１１が腕時計ケース１の内部側に向けて円滑に押し込まれる。
【００３８】
また、腕時計ケース１内に押し込まれた操作部材１１がばね部材１６のばね力によって押し出される際には、外装部材３の収容部３ａ内に頭部１３によって形成される空間部１８の容積が次第に大きくなる。このため、空間部１８内の空気が膨張されるが、この空間部１８内の空気の膨張に伴って、洗浄路１７の連通孔１９を通して腕時計ケース１の外部の空気が洗浄路１７の空間部１８内に送り込まれる。
【００３９】
これにより、腕時計ケース１内に押し込まれた操作部材１１が押し出される際には、洗浄路１７における空間部１８内の空気の膨張に伴って、洗浄路１７の連通孔１９から腕時計ケース１の外部の空気が洗浄路１７の空間部１８内に送り込まれることにより、空間部１８内の空気圧が腕時計ケース１の外部の大気圧とほぼ同じ圧力に保たれる。このため、操作部材１１が腕時計ケース１の外部側に向けて円滑に押し出される。
【００４０】
ところで、頭部１３の内端面とケース本体２の外面との間に設けられた洗浄路１７における空間部１８内および連通孔１９内に泥やごみなどの異物が浸入して付着した場合には、洗浄路１７に水や洗剤などの洗浄液を流し込んで、洗い流すことにより、泥やごみなどの異物を除去することができる。
【００４１】
すなわち、泥やごみなどの異物を洗い流す場合には、例えば、洗浄路１７の連通孔１９における腕時計ケース１の上部側に位置する連通孔１９ａの上側の外端部から水や洗剤などの洗浄液を流し込んで、空間部１８内に流し込む。この空間部１８内に流し込まれた洗浄液は、洗浄路１７の連通孔１９における腕時計ケース１の下部側に位置する連通孔１９ｂの下側外端部から排出される。
【００４２】
このときには、操作部材１１の軸部１２における大径部１２ｂの外周部に複数のパッキン部材１５が設けられ、これら複数のパッキン部材１５が貫通孔１０の内周面に圧接して、貫通孔１０の内周面と軸部１２の大径部１２ｂの外周面との間の防水が図られていることにより、水や洗剤などの洗浄液を洗浄路１７に流し込んでも、貫通孔１０の内周面と軸部１２の大径部１２ｂの外周面との間に水や洗剤などの洗浄液が流れ込むことはない。
【００４３】
これにより、空間部１８内および連通孔１９内に泥やごみなどの異物が浸入して付着しても、水や洗剤などの洗浄液を洗浄路１７に流し込んで洗い流することにより、ケース本体２内の時計モジュール７に影響を与えることがなく、泥やごみなどの異物が粒子の細かい異物であっても、その異物を除去することができる。このため、泥やごみなどの異物の浸入による操作部材１１の操作性の低下を防ぎ、操作部材１１の操作性を良好な状態で維持することができる。
【００４４】
このように、この腕時計のスイッチ装置８によれば、貫通孔１０および収容部３ａが同一軸上に対応して設けられた腕時計ケース１と、この腕時計ケース１の貫通孔１０にパッキン部材１５を介してスライド可能に挿入された軸部１２、およびこの軸部１２の外端部に設けられて腕時計ケース１の収容部３ａ内に配置された頭部１３を備えた操作部材１１と、腕時計ケース１の収容部３ａ内に頭部１３によって形成される空間部１８と、この空間部１８を腕時計ケース１の外部に連通させた複数の連通孔１９ａ、１９ｂと、を備えていることにより、泥やごみなどの異物を容易に除去して、操作部材１１の操作性を向上させることができる。
【００４５】
すなわち、この腕時計のスイッチ装置８では、腕時計ケース１の収容部３ａ内に頭部１３によって形成される空間部１８内、およびこの空間部１８を腕時計ケース１の外部に連通させる複数の連通孔１９ａ、１９ｂ内に泥やごみなどの異物が浸入しても、この浸入した泥やごみなどの異物を良好にかつ確実に洗い流すことができる。
【００４６】
このため、このスイッチ装置８では、泥やごみなどの異物を容易にかつ確実に除去することができるので、泥やごみなどの異物の浸入による操作部材１１の操作性の低下を防ぐことができ、これにより操作部材１１の操作性を良好な状態に維持することができると共に、操作部材１１の操作性を向上させることができる。
【００４７】
この場合、腕時計ケース１は、貫通孔１０が設けられたケース本体２と、このケース本体２の外周面にこれを覆って設けられ、かつ収容部３ａが貫通孔１０と同一軸上に対応して設けられた外装部材３と、を備えていることにより、ケース本体２の貫通孔１０によって操作部材１１の軸部１２をスライド可能な状態で確実にかつ良好に保持することができ、また外装部材３の収容部３ａ内に操作部材１１の頭部１３をスライド可能に配置させることができるので、外装部材３によって頭部１３を外部の衝撃から良好に保護することができる。
【００４８】
また、このスイッチ装置８では、洗浄路１７の連通孔１９がケース本体２の外面とこれに対応する外装部材３の内面との間に上下に貫通して設けられていることにより、連通孔１９の一端部から水や洗剤などの洗浄液を空間部１８内に流し込むことができ、この空間部１８内に流し込まれた洗浄液を連通孔１９の他端部から排出することができる。このため、空間部１８内および連通孔１９内に付着した泥やごみなどの異物を簡単にかつ容易に洗い流すことができるので、泥やごみなどの異物を確実にかつ良好に除去することができる。
【００４９】
この場合、連通孔１９は、その断面形状がケース本体２の外周に沿う方向に細長い矩形状に形成され、操作部材１１の軸方向の長さが、外装部材３の収容部３ａ内に頭部１３によって形成される空間部１８における軸方向の長さ、つまり操作部材１１のスライド長さよりも長く形成されていることにより、水や洗剤などの洗浄液を連通孔１９によって空間部１８内に流し易くすることができる。このため、空間部１８内および連通孔１９内に浸入した泥やごみなどの異物が粒子の細かい異物であっても、その異物を確実にかつ良好に洗い流すことができる。
【００５０】
また、このスイッチ装置８では、パッキン部材１５が操作部材１１の軸部１２における大径部１２ｂの外周に設けられて、腕時計ケース１の貫通孔１０の内周面に圧接して摺動する構成であるから、洗浄路１７の空間部１８内および連通孔１９内に泥やごみなどの異物または水や洗剤などの洗浄液が浸入しても、複数のパッキン部材１５によって泥やごみなどの異物または水や洗剤などの洗浄液が貫通孔１０の内周面と軸部１２の大径部１２ｂの外周面との間から腕時計ケース１内に浸入しないようにすることができ、これにより腕時計ケース１内の時計モジュール７を確実にかつ良好に保護することができる。
【００５１】
また、このスイッチ装置８では、操作部材１１を腕時計ケース１の外部に向けて付勢するばね部材１６を備えていることにより、通常状態のときに、ばね部材１６のばね力によって操作部材１１を腕時計ケース１の外部に向けて押し出すことができ、これにより腕時計ケース１内に設けられた時計モジュール７のスイッチ部７ａを確実にオフ状態にすることができる。また、ばね部材１６のばね力に抗して操作部材１１を腕時計ケース１の内部に向けて押し込むことにより、時計モジュール７のスイッチ部７ａを確実にオン動作させることができる。
【００５２】
この場合、ばね部材１６は、パッキン部材１５よりも腕時計ケース１の内部側に位置して設けられていることにより、洗浄路１７の空間部１８内および連通孔１９内に泥やごみなどの異物が浸入しても、この浸入した泥やごみなどの異物がパッキン部材１５よりも腕時計ケース１の内部側に浸入することがないので、泥やごみなどの異物がばね部材１６に付着しないようにすることができ、これにより泥やごみなどの異物の浸入によるばね部材１６の動作性能の低下を防ぐことができる。
【００５３】
また、このスイッチ装置８では、操作部材１１がばね部材１６のばね力に抗して腕時計ケース１の内部に向けて押し込まれる際に、外装部材３の収容部３ａ内に頭部１３によって形成される空間部１８の容積が次第に小さくなり、空間部１８内の空気が圧縮されるが、この圧縮された空気を洗浄路１７の連通孔１９で腕時計ケース１の外部に排出することができる。
【００５４】
このため、このスイッチ装置８では、操作部材１１がばね部材１６のばね力に抗して腕時計ケース１の内部に向けて押し込まれる際に、外装部材３の収容部３ａ内に形成された空間部１８内の空気圧を腕時計ケース１の外部の大気圧とほぼ同じ圧力に保つことができるので、操作部材１１を腕時計ケース１の内部側に向けて円滑に押し込むことができる。これにより、操作部材１１の操作性を向上させることができる。
【００５５】
また、このスイッチ装置８では、腕時計ケース１内に押し込まれた操作部材１１がばね部材１６のばね力によって押し出される際に、外装部材３の収容部３ａ内に頭部１３によって形成される空間部１８の容積が次第に大きくなり、空間部１８内の空気が膨張されるが、空間部１８内における空気の膨張に伴って腕時計ケース１の外部の空気を洗浄路１７の連通孔１９から空間部１８内に送り込むことができる。
【００５６】
このため、このスイッチ装置８では、腕時計ケース１内に押し込まれた操作部材１１がばね部材１６のばね力によって押し出される際に、外装部材３の収容部３ａ内に形成された空間部１８内の空気圧を腕時計ケース１の外部の大気圧とほぼ同じ圧力に保つことができるので、操作部材１１を腕時計ケース１の外部側に向けて円滑に押し出すことができる。これによっても、操作部材１１の操作性を向上させることができる。
【００５７】
なお、上述した第１実施形態では、洗浄路１７の連通孔１９が腕時計ケース１の上下に貫通して形成されている場合について述べたが、この発明は必ずしも連通孔１９を腕時計ケース１の上下に貫通させる必要はなく、例えば、腕時計ケース１の上部側のみに連通孔を形成した構成でも良く、また腕時計ケース１の下部側のみに連通孔を形成した構成でも良い。
【００５８】
（第２実施形態）
次に、図３および図４を参照して、この発明を腕時計に適用した第２実施形態について説明する。なお、図１および図２に示された第１実施形態と同一部分には同一符号を付して説明する。
この腕時計は、図３および図４に示すように、スイッチ装置８の洗浄路２０が第１実施形態と異なる構成であり、これ以外は第１実施形態と同じ構成になっている。
【００５９】
すなわち、この洗浄路２０は、図３および図４に示すように、腕時計ケース１の外装部材３に設けられた収容部３ａ内に操作部材１１の頭部１３によって形成される空間部１８と、この空間部１８を腕時計ケース１の外部に連通させる複数の連通孔２１と、を備えている。この場合、空間部１８は、第１実施形態と同様、外装部材３の収容部３ａ内に頭部１３によって形成されることにより、ケース本体２の外面とこれに対応する操作部材１１の頭部１３の内端面との間に位置するように構成されている。
【００６０】
複数の連通孔２１は、図３および図４に示すように、操作部材１１の頭部１３にその軸方向にそれぞれ貫通して設けられている。これら複数の連通孔２１それぞれは、その内径が操作部材１１の軸部１２の小径部１２ａの外径よりも大きく、かつ軸部１２の大径部１２ｂの外径よりも小さい大きさに形成されている。すなわち、この連通孔２１は、その内径が外装部材３の収容部３ａ内に頭部１３によって形成される空間部１８の軸方向の長さ、つまり操作部材１１のスライド長さよりも長く形成されている。
【００６１】
これにより、洗浄路２０は、図３および図４に示すように、外装部材３の収容部３ａ内に操作部材１１の頭部１３によって形成される空間部１８に複数の連通孔２１が連通されていることにより、これら複数の連通孔２１から水や洗剤などの洗浄液が空間部１８内に流れ易くなるように構成されている。
【００６２】
次に、このような腕時計のスイッチ装置８の作用について説明する。
このスイッチ装置８は、通常状態のときに、第１実施形態と同様、操作部材１１がばね部材１６のばね力によって腕時計ケース１の外部に向けて押し出されて、操作部材１１の頭部１３の外端面が外装部材３の収容部３ａの外端部とほぼ同じ平面上に位置して外装部材３の外部に露出した状態で、軸部１２がケース本体２の外部に突出することにより、外装部材３の収容部３ａ内に頭部１３によって洗浄路２０の空間部１８が形成される。
【００６３】
この状態で、操作部材１１の頭部１３をばね部材１６のばね力に抗して腕時計ケース１の内部側に向けて押し込む際には、頭部１３に設けられた複数の連通孔２１のいずれかを開放させた状態で、頭部１３を押し込む。このときには、外装部材３の収容部３ａ内に頭部１３によって形成された空間部１８の容積が次第に小さくなる。このため、この空間部１８内の空気が圧縮されるが、この圧縮された空気が頭部１３に設けられた複数の連通孔２１のうち、開放させた連通孔２１を通して腕時計ケース１の外部に排出される。
【００６４】
これにより、操作部材１１の頭部１３が腕時計ケース１の内部側に向けて押し込まれる際には、洗浄路２０における空間部１８内の圧縮された空気が洗浄路２０の複数の連通孔２１から腕時計ケース１の外部に排出されることにより、空間部１８内の空気圧が腕時計ケース１の外部の大気圧とほぼ同じ圧力に保たれる。このため、第１実施形態と同様、操作部材１１が腕時計ケース１の内部側に向けて円滑に押し込まれる。
【００６５】
また、腕時計ケース１内に押し込まれた操作部材１１がばね部材１６のばね力によって押し出される際には、頭部１３に設けられた複数の連通孔２１のすべてが開放された状態で、頭部１３が押し出される。このときには、外装部材３の収容部３ａ内に頭部１３によって形成された空間部１８の容積が次第に大きくなる。このため、空間部１８内の空気が膨張されるが、この空気の膨張に伴って頭部１３に設けられた複数の連通孔２１を通して腕時計ケース１の外部の空気が洗浄路２０の空間部１８内に送り込まれる。
【００６６】
これにより、腕時計ケース１内に押し込まれた操作部材１１が押し出される際には、洗浄路２０における空間部１８内の空気の膨張に伴って、洗浄路２０の複数の連通孔２１から腕時計ケース１の外部の空気が洗浄路２０の空間部１８内に送り込まれることにより、空間部１８内の空気圧が腕時計ケース１の外部の大気圧とほぼ同じ圧力に保たれる。このため、第１実施形態と同様、操作部材１１が腕時計ケース１の外部側に向けて円滑に押し出される。
【００６７】
ところで、外装部材３の収容部３ａ内に頭部１３によって形成される空間部１８内、およびこの空間部１８を腕時計ケース１の外部に連通させる複数の連通孔２１内に、泥やごみなどの異物が浸入して付着した場合には、洗浄路２０に水や洗剤などの洗浄液を流し込んで、洗い流すことにより、第１実施形態と同様、泥やごみなどの異物を除去することができる。
【００６８】
すなわち、洗浄路２０の複数の連通孔２１のうち、少なくとも１つの連通孔２１を除いて、他の連通孔２１から水や洗剤などの洗浄液を流し込んで、空間部１８内に流し込む。この空間部１８内に流し込まれた洗浄液は、複数の連通孔２１のうち、洗浄液が流し込まれていない連通孔２１から腕時計ケース１の外部に排出される。
【００６９】
このときにも、操作部材１１の軸部１２における大径部１２ｂの外周部に複数のパッキン部材１５が設けられ、これら複数のパッキン部材１５が貫通孔１０の内周面に圧接して、貫通孔１０の内周面と軸部１２の大径部１２ｂの外周面との間の防水が図られていることにより、水や洗剤などの洗浄液を洗浄路２０に流し込んでも、貫通孔１０の内周面と軸部１２の大径部１２ｂの外周面との間に水や洗剤などの洗浄液が流れ込むことはない。
【００７０】
これにより、空間部１８内および複数の連通孔２１内に泥やごみなどの異物が浸入して付着しても、水や洗剤などの洗浄液を洗浄路２０に流し込んで洗い流することにより、ケース本体２内の時計モジュール７に影響を与えることがなく、泥やごみなどの異物が粒子の細かい異物であっても、その異物を確実にかつ良好に除去することができる。このため、第１実施形態と同様、泥やごみなどの異物の浸入による操作部材１１の操作性の低下を防ぎ、操作部材１１の操作性を良好な状態で維持することができる。
【００７１】
このように、この第２実施形態のスイッチ装置８によれば、流通路である洗浄路２０が、腕時計ケース１の収容部３ａ内に操作部材１１の頭部１３によって形成される空間部１８と、この空間部１８を腕時計ケース１の外部に洗浄液が流れ易い大きさで連通させた複数の連通孔２１と、を備えていることにより、第１実施形態と同様、泥やごみなどの異物を容易に除去して、操作部材１１の操作性を向上させることができる。
【００７２】
すなわち、この第２実施形態のスイッチ装置８では、洗浄路２０に水や洗剤などの洗浄液を流し込むことができるので、腕時計ケース１の収容部３ａ内に操作部材１１の頭部１３によって形成される空間部１８内、およびこの空間部１８を腕時計ケース１の外部に連通させる複数の連通孔２１内に泥やごみなどの異物が浸入しても、この浸入した泥やごみなどの異物を洗浄路２０で良好にかつ確実に洗い流することができる。
【００７３】
このため、このスイッチ装置８においても、第１実施形態と同様、空間部１８内および複数の連通孔２１内に浸入した泥やごみなどの異物を容易にかつ確実に除去することができるので、泥やごみなどの異物の浸入による操作部材１１の操作性の低下を防ぐことができ、これにより操作部材１１の操作性を良好な状態に維持することができると共に、操作部材１１の操作性を向上させることができる。
【００７４】
この場合、このスイッチ装置８では、洗浄路２０の複数の連通孔２１それぞれが、操作部材１１の頭部１３にその軸方向に貫通して設けられていることにより、複数の連通孔２１から水や洗剤などの洗浄液を空間部１８内に流し込むことができ、この空間部１８内に流し込まれた洗浄液を複数の連通孔２１から排出することができる。このため、空間部１８内および複数の連通孔２１内に付着した泥やごみなどの異物を簡単にかつ容易に洗い流すことができるので、泥やごみなどの異物を確実にかつ良好に除去することができる。
【００７５】
また、洗浄路２０の複数の連通孔２１それぞれは、その断面形状が円形状に形成され、その内径が、外装部材３の収容部３ａ内に頭部１３によって形成される空間部１８における軸方向の長さ、つまり操作部材１１のスライド長さよりも長く形成されていることにより、水や洗剤などの洗浄液を複数の連通孔２１によって空間部１８内に流し易くすることができる。これにより、空間部１８内および複数の連通孔２１内に浸入した泥やごみなどの異物が粒子の細かい異物であっても、その異物を確実にかつ良好に洗い流すことができる。
【００７６】
この場合にも、このスイッチ装置８では、パッキン部材１５が操作部材１１の軸部１２における大径部１２ｂの外周に設けられて、腕時計ケース１の貫通孔１０の内周面に圧接して摺動する構成であるから、第１実施形態と同様、複数のパッキン部材１５によって泥やごみなどの異物または水や洗剤などの洗浄液が貫通孔１０の内周面と軸部１２の大径部１２ｂの外周面との間から腕時計ケース１内に浸入しないようにすることができ、これにより腕時計ケース１内の時計モジュール７を確実にかつ良好に保護することができる。
【００７７】
また、このスイッチ装置８では、操作部材１１を腕時計ケース１の外部に向けて付勢するばね部材１６を備えていることにより、このばね部材１６のばね力に抗して操作部材１１を腕時計ケース１の内部に向けて押し込む際に、外装部材３の収容部３ａ内に頭部１３によって形成される空間部１８の容積が次第に小さくなり、これに伴って空間部１８内の空気が圧縮されるが、この圧縮された空気を洗浄路２０の複数の連通孔２１によって腕時計ケース１の外部に排出することができる。
【００７８】
このため、このスイッチ装置８においても、第１実施形態と同様、操作部材１１がばね部材１６のばね力に抗して腕時計ケース１の内部に向けて押し込まれる際に、外装部材３の収容部３ａ内に形成された空間部１８内の空気圧を複数の連通孔２１によって腕時計ケース１の外部の大気圧とほぼ同じ圧力に保つことができるので、操作部材１１を腕時計ケース１の内部側に向けて円滑に押し込むことができる。これにより、操作部材１１の操作性を向上させることができる。
【００７９】
また、このスイッチ装置８では、腕時計ケース１内に押し込まれた操作部材１１がばね部材１６のばね力によって押し出される際に、外装部材３の収容部３ａ内に頭部１３によって形成される空間部１８の容積が次第に大きくなり、これに伴って空間部１８内の空気が膨張されるが、空間部１８内における空気の膨張に伴って腕時計ケース１の外部の空気を洗浄路２０の複数の連通孔２１から空間部１８内に送り込むことができる。
【００８０】
このため、このスイッチ装置８においても、第１実施形態と同様、腕時計ケース１内に押し込まれた操作部材１１がばね部材１６のばね力によって押し出される際に、外装部材３の収容部３ａ内に形成された空間部１８内の空気圧を複数の連通孔２１によって腕時計ケース１の外部の大気圧とほぼ同じ圧力に保つことができるので、操作部材１１を腕時計ケース１の外部側に向けて円滑に押し出すことができる。これによっても、操作部材１１の操作性を向上させることができる。
【００８１】
なお、上述した第１、第２の実施形態では、腕時計ケース１がケース本体２と外装部材３とで構成されている場合について述べたが、この発明は必ずしも外装部材３を備えている必要はなく、例えば、腕時計ケースをケース本体のみで構成し、このケース本体に貫通孔と収容部とを同一軸上に対応させて一体に形成した構成であっても良い。
【００８２】
また、上述した第１、第２の実施形態では、操作部材１１の軸部１２における小径部１２ａの外周にばね部材１６を設けた場合について述べたが、この発明はこれに限らず、例えば、腕時計ケース１内に設けられた時計モジュール７または腕時計ケース１の内周面に付勢部材としての板ばねを設け、この板ばねで操作部材１１を押し出す方向に付勢するように構成しても良い。
【００８３】
また、上述した第１、第２の実施形態では、腕時計ケース１の２時側に位置するスイッチ装置８について述べたが、この発明はこれに限らず、例えば、腕時計ケース１の３時側、４時側、８時側、１０時側にそれぞれ位置する各スイッチ装置８にも適用することができる。
【００８４】
さらに、上述した第１、第２の実施形態では、腕時計に適用した場合について述べたが、必ずしも腕時計である必要はなく、例えばトラベルウオッチ、目覚まし時計、置き時計、掛け時計などの各種の時計に適用することができる。また、この発明は必ずしも時計である必要はなく、例えば、携帯電話機、携帯情報処理装置などの電子機器にも適用することができる。
【００８５】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８６】
（付記）
請求項１に記載の発明は、貫通孔および収容部が同一軸上に対応して設けられたケースと、前記ケースの前記貫通孔にパッキン部材を介してスライド可能に挿入された軸部、および前記軸部の外端部に設けられて前記ケースの前記収容部内に配置され、かつ外端部が前記ケースの外部に露出する頭部を備えた操作部材と、前記ケースの前記収容部内に前記操作部材の前記頭部によって形成される空間部と、前記空間部を前記ケースの外部に連通させた複数の連通孔と、を備えていることを特徴とするスイッチ装置である。
【００８７】
請求項２に記載の発明は、請求項１に記載のスイッチ装置において、前記連通孔には、前記収容部の内径と前記頭部の外径との間の隙間は含まれないことを特徴とするスイッチ装置である。
【００８８】
請求項３に記載の発明は、請求項１または請求項２に記載のスイッチ装置において、前記連通孔は、前記ケースに備えていることを特徴とするスイッチ装置である。
【００８９】
請求項４に記載の発明は、請求項１〜請求項３のいずれかに記載のスイッチ装置において、前記ケースは、前記貫通孔が設けられたケース本体と、前記ケース本体の外周面にこれを覆って設けられ、かつ前記収容部が前記貫通孔と同一軸上に対応して設けられた外装部材と、を備え、前記連通孔は、前記ケース本体の外面とこれに対応する前記外装部材の内面との間に設けられていることを特徴とするスイッチ装置である。
【００９０】
請求項５に記載の発明は、請求項１〜請求項３のいずれかに記載のスイッチ装置において、前記連通孔は、前記操作部材の前記頭部にその軸方向に貫通して設けられていることを特徴とするスイッチ装置である。
【００９１】
請求項６に記載の発明は、請求項１〜請求項５のいずれかに記載のスイッチ装置において、前記操作部材を前記ケースの外部に向けて付勢する付勢部材を備えていることを特徴とするスイッチ装置である。
【００９２】
請求項７に記載の発明は、請求項６に記載のスイッチ装置において、前記付勢部材は、前記パッキン部材よりも前記ケースの内部側に設けられていることを特徴とするスイッチ装置である。
【００９３】
請求項８に記載の発明は、請求項１〜請求項７のいずれかに記載されたスイッチ装置を備えていることを特徴とする時計である。
【符号の説明】
【００９４】
１  腕時計ケース
２  ケース本体
３  外装部材
３ａ  収容部
７  時計モジュール
７ａ  スイッチ部
８  スイッチ装置
１０  貫通孔
１１  操作部材
１２  軸部
１３  頭部
１５  パッキン部材
１６  ばね部材
１７、２０  洗浄路
１８  空間部
１９、２１  連通孔
１９ａ、１９ｂ  連通孔
【図１】
2017212078.tif 000003
【図２】
2017212078.tif 000004
【図３】
2017212078.tif 000005
【図４】
2017212078.tif 000006